(57)【要約】【課題】基地局装置で使用する無線パラメータを、無線リソースの消費を抑えて、周辺セルと混信しないように容易に設定することができる移動通信システム、ならびに前記移動通信システムを構成する基地局装置、移動局装置および基地局制御装置を提供する。【解決手段】基地局装置１１に基地局用赤外線通信部２３を設け、移動局装置の移動局用赤外線通信部３６から、移動局装置の在圏セルを構成する他の無線基地局装置のスクランブリングコード番号を与える。与えられたスクランブリングコード番号に基づいて、無線基地局装置１１で使用するべきスクランブリングコードをスクランブリングコード決定部２６で決定させ、その番号に対応するスクランブリングコードをスクランブリングコード生成部２４で生成させる。生成されたスクランブリングコードを用いて基地局用ＣＤＭＡ無線通信部２１から無線信号を送信することによって、混信を防ぐことができる。【選択図】図２
2010183320.tif 000002
【特許請求の範囲】
【請求項１】
移動局装置と通信可能な２種以上の基地局用通信手段であって、前記移動局装置と無線通信可能な基地局用無線通信手段を含む２種以上の基地局用通信手段と、
前記基地局用無線通信手段による無線信号の送信に使用する無線パラメータを選択するパラメータ決定手段とを備え、
前記２種以上の基地局用通信手段は、
前記移動局装置から、前記無線パラメータを選択するための選択情報が与えられる選択情報受信手段と、
前記移動局装置から、前記基地局用無線通信手段による無線信号の送信を開始するように指示する開始指示信号が与えられる開始指示受信手段とをさらに含み、
前記無線パラメータ決定手段は、
前記開始指示受信手段に前記開始指示信号が与えられると、前記選択情報に基づいて、前記無線パラメータを選択することを特徴とする基地局装置。
【請求項２】
基地局装置と通信可能な２種以上の移動局用通信手段を備え、
前記２種以上の移動局用通信手段は、
前記基地局装置の基地局用無線通信手段と無線通信可能な移動局用無線通信手段と、
前記基地局装置の開始指示受信手段に対して、前記基地局用無線通信手段による無線信号の送信を開始するように指示する開始指示信号を与える移動局用指示手段とを含むことを特徴とする移動局装置。
【請求項３】
前記移動局用指示手段は、利用者によって操作可能に構成されることを特徴とする請求項２に記載の移動局装置。
【請求項４】
前記２種以上の移動局用通信手段は、
前記基地局装置の選択情報受信手段に対して、前記基地局用無線通信手段による無線信号の送信に使用する無線パラメータを選択するための選択情報を与える選択情報付与手段を含むことを特徴とする請求項２または３に記載の移動局装置。
【請求項５】
移動局装置と通信可能な２種以上の基地局用通信手段であって、前記移動局装置と無線通信可能な基地局用無線通信手段と、前記移動局装置から、前記基地局用無線通信手段による無線信号の送信に使用する無線パラメータを選択するための選択情報が与えられる選択情報受信手段とを含む２種以上の基地局用通信手段と、
前記選択情報受信手段に前記選択情報が与えられると、前記選択情報を基地局制御装置に通知する通知手段と、
前記選択情報に基づいて前記基地局制御装置によって選択された前記無線パラメータを表すパラメータ情報が与えられるパラメータ情報受信手段と、
前記基地局用無線通信手段による無線信号の送信を開始するように指示する開始指示信号が与えられる開始指示受信手段とを備えることを特徴とする基地局装置。
【請求項６】
基地局装置の通知手段から、前記基地局装置の基地局用無線通信手段による無線信号の送信に使用する無線パラメータを選択するための選択情報が通知される制御装置用受信手段と、
前記制御装置用受信手段に通知される前記選択情報に基づいて、前記無線パラメータを選択し、選択した前記無線パラメータを表すパラメータ情報を前記基地局装置に与えるパラメータ情報付与手段とを備えることを特徴とする基地局制御装置。
【請求項７】
請求項１に記載の基地局装置と、
請求項２〜４のいずれか１つに記載の移動局装置とを備えることを特徴とする移動通信システム。
【請求項８】
請求項２〜４のいずれか１つに記載の移動局装置と、
請求項５に記載の基地局装置と、
請求項６に記載の基地局制御装置とを備えることを特徴とする移動通信システム。
【請求項９】
前記基地局装置の開始指示受信手段と、前記移動局装置の移動局用指示手段とは、無線通信可能に構成されることを特徴とする請求項７または８に記載の移動通信システム。
【請求項１０】
前記基地局装置の開始指示受信手段および前記移動局装置の移動局用指示手段は、赤外線を用いた無線通信手段、音波を用いた無線通信手段、またはＩＳＯ規格番号１８０９２で規定される近距離通信による無線通信手段であることを特徴とする請求項９に記載の移動通信システム。
【請求項１１】
前記基地局装置の開始指示受信手段と、前記移動局装置の移動局用指示手段とは、有線通信可能に構成されることを特徴とする請求項７または８に記載の移動通信システム。
【請求項１２】
請求項１または５に記載の基地局装置と、
請求項４に記載の移動局装置とを備え、
前記移動局装置の選択情報付与手段は、挿抜可能な不揮発性メモリを介して、前記基地局装置の選択情報受信手段に前記選択情報を与えることを特徴とする移動通信システム。
【請求項１３】
基地局装置の基地局用無線通信手段と無線通信可能な移動局用無線通信手段と、
無線通信可能な他の基地局装置に対して、前記基地局装置の基地局用無線通信手段による無線信号の送信の開始を要求する開始要求信号を与える開始要求付与手段とを備えることを特徴とする移動局装置。
【請求項１４】
他の基地局装置の基地局用無線通信手段による無線信号の送信の開始を要求する開始要求信号が与えられる他の開始要求受信手段と、
前記他の開始要求受信手段に与えられる前記開始要求信号を基地局制御装置に転送する転送手段とを備えることを特徴とする基地局装置。
【請求項１５】
基地局装置の基地局用無線通信手段による無線信号の送信の開始を要求する開始要求信号が、移動局装置から他の基地局装置を介して与えられる制御装置用受信手段と、
前記制御装置用受信手段に前記開始要求信号が与えられると、前記基地局装置に対して、前記基地局装置の基地局用無線通信手段による無線信号の送信を開始するように指示する開始指示信号を与える制御装置用指示手段とを備えることを特徴とする基地局制御装置。
【請求項１６】
前記制御装置用指示手段は、前記移動局装置の利用者を表す加入者情報に基づいて、前記基地局装置に前記開始指示信号を与えるべきか否かを判断し、前記開始指示信号を与えるべきであると判断すると、前記基地局装置に前記開始指示信号を与えることを特徴とする請求項１５に記載の基地局制御装置。
【請求項１７】
前記制御装置用受信手段に前記開始要求信号を与えた前記他の基地局装置を識別する識別情報に基づいて前記無線パラメータを選択し、選択した前記無線パラメータを表すパラメータ情報を前記基地局装置に与えるパラメータ情報付与手段をさらに備えることを特徴とする請求項１６に記載の基地局制御装置。
【請求項１８】
移動局装置と無線通信可能な基地局用無線通信手段と、前記基地局用無線通信手段による無線信号の送信を開始するように指示する開始指示信号が与えられる開始指示受信手段とを備える基地局装置と、
請求項１３に記載の移動局装置と、
請求項１４に記載の他の基地局装置と、
請求項１５〜１７のいずれか１つに記載の基地局制御装置とを備えることを特徴とする移動通信システム。
【発明の詳細な説明】
【技術分野】
【０００１】
本発明は、移動通信システムならびに、それを構成する基地局装置、移動局装置および基地局制御装置に関する。
【背景技術】
【０００２】
移動通信システムの一例として、符号分割多重接続（Code Division Multiple Access；略称：ＣＤＭＡ）方式を用いた移動通信システムがある。ＣＤＭＡ方式を用いた移動通信システムでは、周波数分割多重接続（Frequency Division Multiple Access；略称：ＦＤＭＡ）または時分割多重接続（Time Division Multiple Access；略称：ＴＤＭＡ）を用いるシステムと同様に、隣接するセル同士で無線周波数を変えることによって、隣接するセル同士の混信を防いでいる。これに加え、ＣＤＭＡ方式を用いた移動通信システムでは、スクランブリングコードという、相互干渉性が低く、直交性の高い拡散符号を用い、セル毎に異なるスクランブリングコードを利用者のデータに重畳することによっても、隣接するセル同士の混信を防いでいる。
【０００３】
スクランブリングコードは、Ｗ−ＣＤＭＡ（Wideband Code Division Multiple Access）システムの場合は５１２種類が規定されており、この５１２種類を、隣接するセル同士が同じスクランブリングコードにならないように繰返し使用している。
【０００４】
このように移動通信システムにおいて、隣接するセル間の混信を防ぐためには、無線周波数およびスクランブリングコードなどの無線パラメータを管理しつつ基地局装置を設置して無線信号の送信を開始したり、無線信号の送信開始前に周辺のセルからの電波状況を測定して、無線パラメータを調整してから基地局装置を設置して無線信号の送信を開始したりする必要がある。
【０００５】
つまり、基地局装置を新たに設置するときには、隣接するセル同士が同じスクランブリングコードまたは周波数といった無線パラメータを使用しないように、周辺セルの無線パラメータを予め把握するか、またはその設置場所において実際に測定するなどの作業が必要となる。しかし、たとえば家庭内でのみ使用するような極小セルを構成する基地局装置を利用者が自ら設置し、無線信号の送信および送信停止を利用者が操作するような場合には、周辺セルの無線パラメータの使用状況の把握および測定は困難である。したがって、無線送信開始時に自律的に無線パラメータを設定する方法が必要となる。
【０００６】
自律的に無線パラメータを設定する方法の一つとして、周辺セルの基地局装置からの送信波を受信して、その送信している無線パラメータを把握することにより、同じ無線パラメータを使用しないようにすることが考えられる。
【０００７】
この方法では、基地局装置と移動局装置との間の上りと下りの回線で周波数が異なるシステムの場合、下りの回線の周波数を受信するための機能を基地局装置に持たせる必要があり、基地局装置の大型化および高価格化につながる。同様に、スクランブリングコードを検出する場合には、そのためのアプリケーションを実装する必要があり、メモリ搭載量などの増加を招き、基地局装置の大型化および製造コストの増大を招くという問題がある。
【０００８】
このような問題に対し、基地局装置を新たに設置するときの無線パラメータの調整にあたって、周辺のセルからの電波状況を、移動局装置を用いて簡易に測定する方法が提案されている（たとえば、特許文献１および２参照）。
【先行技術文献】
【特許文献】
【０００９】
【特許文献１】特開２００８−１７２３８０号公報
【特許文献２】特開２００７−２５１７５５号公報
【発明の概要】
【発明が解決しようとする課題】
【００１０】
特許文献１および２に開示の方法では、基地局装置が、移動局装置に対して報告内容および条件を指示する必要がある。したがって、たとえば家庭内のような極小セルを構成する基地局装置を設置して、無線信号の送信と送信停止とを高頻度で繰返すような運用をする場合には、移動局装置による測定結果を高頻度で収集する必要があり、無線リソースを消費するという問題がある。
【００１１】
本発明の目的は、基地局装置で使用する無線パラメータを、無線リソースの消費を抑えて、周辺セルと混信しないように容易に設定することができる移動通信システム、ならびに前記移動通信システムを構成する基地局装置、移動局装置および基地局制御装置を提供することである。
【課題を解決するための手段】
【００１２】
本発明の基地局装置は、移動局装置と通信可能な２種以上の基地局用通信手段であって、前記移動局装置と無線通信可能な基地局用無線通信手段を含む２種以上の基地局用通信手段と、前記基地局用無線通信手段による無線信号の送信に使用する無線パラメータを選択するパラメータ決定手段とを備え、前記２種以上の基地局用通信手段は、前記移動局装置から、前記無線パラメータを選択するための選択情報が与えられる選択情報受信手段と、前記移動局装置から前記基地局用無線通信手段による無線信号の送信を開始するように指示する開始指示信号が与えられる開始指示受信手段とをさらに含み、前記無線パラメータ決定手段は、前記開始指示受信手段に前記開始指示信号が与えられると、前記選択情報に基づいて、前記無線パラメータを選択することを特徴とする。
【００１３】
本発明の移動局装置は、基地局装置と通信可能な２種以上の移動局用通信手段を備え、前記２種以上の移動局用通信手段は、前記基地局装置の基地局用無線通信手段と無線通信可能な移動局用無線通信手段と、前記基地局装置の開始指示受信手段に対して、前記基地局用無線通信手段による無線信号の送信を開始するように指示する開始指示信号を与える移動局用指示手段とを含むことを特徴とする。
【００１４】
また本発明の基地局装置は、移動局装置と通信可能な２種以上の基地局用通信手段であって、前記移動局装置と無線通信可能な基地局用無線通信手段と、前記移動局装置から、前記基地局用無線通信手段による無線信号の送信に使用する無線パラメータを選択するための選択情報が与えられる選択情報受信手段とを含む２種以上の基地局用通信手段と、前記選択情報受信手段に前記選択情報が与えられると、前記選択情報を基地局制御装置に通知する通知手段と、前記選択情報に基づいて前記基地局制御装置によって選択された前記無線パラメータを表すパラメータ情報が与えられるパラメータ情報受信手段と、前記基地局用無線通信手段による無線信号の送信を開始するように指示する開始指示信号が与えられる開始指示受信手段とを備えることを特徴とする。
【００１５】
本発明の基地局制御装置は、基地局装置の通知手段から、前記基地局装置の基地局用無線通信手段による無線信号の送信に使用する無線パラメータを選択するための選択情報が通知される制御装置用受信手段と、前記制御装置用受信手段に通知される前記選択情報に基づいて、前記無線パラメータを選択し、選択した前記無線パラメータに関するパラメータ情報を前記基地局装置に与えるパラメータ情報付与手段とを備えることを特徴とする。
【００１６】
本発明の移動通信システムは、前記基地局装置と、前記移動局装置とを備えることを特徴とする。
【００１７】
また本発明の移動通信システムは、前記移動局装置と、前記基地局装置と、前記基地局制御装置とを備えることを特徴とする。
【００１８】
また本発明の移動通信システムは、前記基地局装置と、前記移動局装置とを備え、前記移動局装置の選択情報付与手段は、挿抜可能な不揮発性メモリを介して、前記基地局装置の選択情報受信手段に前記選択情報を与えることを特徴とする。
【００１９】
また本発明の移動局装置は、基地局装置の基地局用無線通信手段と無線通信可能な移動局用無線通信手段と、無線通信可能な他の基地局装置に対して、前記基地局装置の基地局用無線通信手段による無線信号の送信の開始を要求する開始要求信号を与える開始要求付与手段とを備えることを特徴とする。
【００２０】
また本発明の基地局装置は、他の基地局装置の基地局用無線通信手段による無線信号の送信の開始を要求する開始要求信号が与えられる他の開始要求受信手段と、前記他の開始要求受信手段に与えられる前記開始要求信号を基地局制御装置に転送する転送手段とを備えることを特徴とする。
【００２１】
また本発明の基地局制御装置は、基地局装置の基地局用無線通信手段による無線信号の送信の開始を要求する開始要求信号が、移動局装置から他の基地局装置を介して与えられる制御装置用受信手段と、前記制御装置用受信手段に前記開始要求信号が与えられると、前記基地局装置に対して、前記基地局装置の基地局用無線通信手段による無線信号の送信を開始するように指示する開始指示信号を与える制御装置用指示手段とを備えることを特徴とする。
【００２２】
また本発明の移動通信システムは、移動局装置と無線通信可能な基地局用無線通信手段と、前記基地局用無線通信手段による無線信号の送信を開始するように指示する開始指示信号が与えられる開始指示受信手段とを備える基地局装置と、前記移動局装置と、前記他の基地局装置と、前記基地局制御装置とを備えることを特徴とする。
【発明の効果】
【００２３】
本発明の基地局装置によれば、開始指示受信手段に開始指示信号が与えられると、基地局用無線通信手段による無線信号の送信に使用する無線パラメータが、選択情報受信手段に与えられる選択情報に基づいて、パラメータ決定手段によって選択され、選択された無線パラメータを用いて無線信号の送信が開始される。開始指示受信手段に開始指示信号が与えられたときに無線パラメータが選択されるので、基地局装置が移動局装置に指示して周辺セルからの電波状況を測定させる場合などに比べて、無線リソースの消費を抑えることができる。
【００２４】
また無線パラメータは、選択情報受信手段に与えられる選択情報に基づいて選択されるので、基地局装置で無線パラメータを検出する場合などに比べて、容易に無線パラメータを他の基地局装置で構成される周辺セルと混信しないように設定することができる。したがって無線パラメータを、無線リソースの消費を抑えて、周辺セルと混信しないように容易に設定することができる。
【００２５】
本発明の移動局装置によれば、移動局用無線通信手段は、基地局装置の基地局用無線通信手段と無線通信可能に構成される。この基地局用無線通信手段による無線信号の送信を開始するように指示する開始指示信号が、移動局用指示手段によって基地局装置の開始指示手段に対して与えられる。
【００２６】
これによって、開始指示信号が開始指示手段に与えられたときに、基地局用無線通信手段による無線信号の送信を開始するように基地局装置を構成することができるので、基地局装置が移動局装置に指示して周辺セルからの電波状況を測定させる場合などに比べて、無線リソースの消費を抑えることができる。したがって、無線リソースの消費を抑えて、周辺セルと混信しないように無線パラメータを容易に設定することができる。
【００２７】
本発明の基地局装置によれば、移動局装置から選択情報受信手段に与えられた選択情報が通知手段によって基地局制御装置に通知され、この選択情報に基づいて無線パラメータが基地局制御装置で選択されて、その無線パラメータを表すパラメータ情報がパラメータ情報受信手段に与えられる。開始指示受信手段に開始指示信号が与えられると、パラメータ情報で表される無線パラメータを用いて無線信号の送信が開始される。
【００２８】
移動局装置から選択情報が与えられたときに無線パラメータの選択が行われるので、基地局装置が移動局装置に指示して周辺セルからの電波状況を測定させる場合などに比べて、無線リソースの消費を抑えることができる。また無線パラメータは、選択情報受信手段に与えられる選択情報に基づいて選択されるので、基地局装置で無線パラメータを検出する場合などに比べて、容易に無線パラメータを他の基地局装置で構成される周辺セルと混信しないように設定することができる。また無線パラメータを選択する手段を基地局装置に設ける必要がないので、基地局装置の構成を簡単化することができる。
【００２９】
本発明の基地局制御装置によれば、基地局装置の通知手段から制御装置用受信手段に通知される選択情報に基づいて、基地局装置の基地局用無線通信手段による無線信号の送信に使用する無線パラメータがパラメータ情報付与手段で選択され、その無線パラメータを表すパラメータ情報が基地局装置に与えられる。これによって、基地局制御装置のパラメータ情報付与手段から与えられるパラメータ情報で表される無線パラメータを用いて無線信号の送信を開始するように基地局装置を構成することができる。
【００３０】
したがって、無線パラメータを選択する手段を基地局装置に設ける必要がないので、無線リソースの消費を抑えて、周辺セルと混信しないように無線パラメータを容易に設定することのできる基地局装置を、簡単な構成で実現することができる。
【００３１】
本発明の移動通信システムによれば、移動局装置から基地局装置に開始指示信号が与えられると、基地局装置は、選択情報受信手段に与えられる選択情報に基づいて、パラメータ決定手段によって無線パラメータを選択する。これによって基地局装置は、無線パラメータを、無線リソースの消費を抑えて、周辺セルと混信しないように容易に設定することができる。
【００３２】
また本発明の移動通信システムによれば、移動局装置から基地局装置に選択情報が与えられると、その選択情報に基づいて基地局制御装置によって無線パラメータが選択され、その無線パラメータを用いて、基地局装置によって無線信号の送信が開始される。これによって基地局装置は、無線パラメータを、無線リソースの消費を抑えて、周辺セルと混信しないように容易に設定することができる。また、このような基地局装置を簡単な構成で実現することができる。
【００３３】
また本発明の移動通信システムによれば、移動局装置から基地局装置に開始指示信号が与えられると、基地局装置は、移動局装置から挿抜可能な不揮発性メモリを介して選択情報受信手段に与えられる選択情報に基づいて、パラメータ決定手段によって無線パラメータを選択する。これによって基地局装置は、無線パラメータを、無線リソースの消費を抑えて、周辺セルと混信しないように容易に設定することができる。また挿抜可能な不揮発性メモリを介して選択情報の授受を行うので、選択情報の授受を確実に行うことができる。
【００３４】
また本発明の移動局装置によれば、移動局用無線通信手段と無線通信可能な基地局装置の基地局用無線通信手段による無線信号の送信の開始を要求する開始要求信号が、開始要求付与手段によって他の基地局装置に対して与えられる。これによって、他の基地局装置を介して開始要求信号を基地局制御装置に与えることが可能であるので、移動局装置を簡単な構成で実現することができる。
【００３５】
また本発明の基地局装置によれば、他の基地局装置の基地局用無線通信手段による無線信号の送信の開始を要求する開始要求信号が他の開始要求受信手段に与えられると、転送手段によって基地局制御装置に転送される。これによって、基地局装置および基地局制御装置を介して他の基地局装置に開始要求信号を与えることが可能であるので、他の基地局装置を簡単な構成で実現することができる。
【００３６】
また本発明の基地局制御装置によれば、基地局装置の基地局用無線通信手段による無線信号の送信の開始を要求する開始要求信号が、移動局装置から他の基地局装置を介して制御装置用受信手段に与えられると、制御装置用指示手段によって開始指示信号が基地局装置に与えられる。これによって移動局装置から他の基地局装置を介して基地局制御装置に開始要求信号を与え、基地局制御装置から基地局装置に開始指示信号を与えることが可能であるので、移動局装置および基地局装置を簡単な構成で実現することができる。
【００３７】
また本発明の移動通信システムによれば、移動局装置から他の基地局装置を介して基地局制御装置に開始要求信号が与えられると、基地局制御装置から基地局装置に開始指示信号が与えられ、基地局装置のパラメータ決定手段によって無線パラメータが選択される。無線パラメータは、開始指示信号が与えられたときに選択されるので、無線リソースの消費を抑えて、周辺セルと混信しないように容易に設定することができる。また開始要求信号は、移動局装置から他の基地局装置を介して基地局制御装置に与えられるので、移動局装置および基地局装置を簡単な構成で実現することができる。
【図面の簡単な説明】
【００３８】
【図１】本発明の第１の実施の形態の移動通信システム１の構成を模式的に示す図である。
【図２】本発明の第１の実施の形態の無線基地局装置１１の構成を示すブロック図である。
【図３】本発明の第１の実施の形態の移動局装置１２の構成を示すブロック図である。
【図４】本発明の第１の実施の形態における無線基地局装置１１と移動局装置１２との間の通信動作を示すシーケンス図である。
【図５】本発明の第２の実施の形態の移動通信システム４０の構成を模式的に示す図である。
【図６】本発明の第２の実施の形態の無線基地局装置４１の構成を示すブロック図である。
【図７】本発明の第２の実施の形態の基地局制御装置４２の構成を示すブロック図である。
【図８】本発明の第２の実施の形態における移動局装置１２、無線基地局装置４１および基地局制御装置４２の各装置間の通信動作を示すシーケンス図である。
【図９】本発明の第３の実施の形態の移動通信システム６０の構成を模式的に示す図である。
【図１０】本発明の第３の実施の形態の移動局装置６１の構成を示すブロック図である。
【図１１】本発明の第３の実施の形態における無線基地局装置１１、他の無線基地局装置１３、基地局制御装置４２および移動局装置６１の各装置間の通信動作を示すシーケンス図である。
【発明を実施するための形態】
【００３９】
＜第１の実施の形態＞
図１は、本発明の第１の実施の形態の移動通信システム１の構成を模式的に示す図である。移動通信システム１は、無線基地局装置１１、移動局装置１２および他の無線基地局装置１３を備えて構成される。無線基地局装置１１と移動局装置１２とは、ＣＤＭＡ方式を用いた無線通信手段と、赤外線を用いた無線通信手段との２種の無線通信手段によって通信が可能である。他の無線基地局装置１３は、無線基地局装置１１に隣接するセルを構成する無線基地局装置であり、移動局装置１２と無線通信可能に構成される。
【００４０】
本実施の形態の移動通信システム１における無線基地局装置１１としては、家庭内でのみ使用するような極小セルを構成する基地局装置を想定している。また移動通信システム１における他の無線基地局装置１３としては、周辺マクロセルを構成する基地局装置を想定している。
【００４１】
本実施の形態の移動通信システム１は、無線基地局装置１１による無線信号の送信に使用される、周辺セルとの混信を防ぐための無線パラメータが、ＣＤＭＡ方式を用いた無線通信におけるスクランブリングコードである場合を想定している。ここで、スクランブリングコードとは、後述する無線基地局装置１１の基地局用データ処理部２２によるスペクトル拡散およびスペクトル逆拡散に用いられる拡散符号である。スクランブリングコードは、相互干渉性が低く、直交性の高い拡散符号であり、セル毎に異なるスクランブリングコードが使用される。各スクランブリングコードには番号が割り振られており、この番号を「スクランブリングコード番号」という。スクランブリングコード番号は、パラメータ情報に相当する。
【００４２】
図２は、本発明の第１の実施の形態の無線基地局装置１１の構成を示すブロック図である。無線基地局装置１１は、基地局用ＣＤＭＡ無線通信部２１、基地局用データ処理部２２、基地局用赤外線通信部２３、スクランブリングコード生成部２４、基地局用記憶部２５およびスクランブリングコード決定部２６を備えて構成される。基地局用データ処理部２２は、基地局用ＣＤＭＡ無線通信部２１、基地局用赤外線通信部２３、スクランブリングコード生成部２４、基地局用記憶部２５およびスクランブリングコード決定部２６とそれぞれ接続されている。基地局用ＣＤＭＡ無線通信部２１および基地局用赤外線通信部２３は、基地局用通信手段に相当する。より詳細には、基地局用ＣＤＭＡ無線通信部２１は、基地局用無線通信手段に相当し、基地局用赤外線通信部２３は、選択情報受信手段および開始指示受信手段に相当する。またスクランブリングコード決定部２６は、パラメータ決定手段に相当する。
【００４３】
基地局用ＣＤＭＡ無線通信部２１は、ＣＤＭＡ方式を用いた無線通信手段である。基地局用ＣＤＭＡ無線通信部２１は、基地局装置１１に設けられる不図示のアンテナを介して受信した信号に対して、増幅、濾波、周波数変換およびアナログ／デジタル（略称：Ａ／Ｄ）変換などの処理を行うことによってベースバンドのデジタル信号に変換する。基地局用ＣＤＭＡ無線通信部２１は、ベースバンドのデジタル信号を、基地局用データ処理部２２に与える。
【００４４】
また基地局用ＣＤＭＡ無線通信部２１は、移動局装置１２に送信すべき信号として、基地局用データ処理部２２から与えられるベースバンドのデジタル信号に対して、デジタル／アナログ（略称：Ｄ／Ａ）変換、周波数変換、濾波および増幅などの処理を行うことによって、デジタル信号をアナログ信号である無線信号に変換する。無線信号は、基地局装置１１に設けられる不図示のアンテナを介して移動局装置１２に送信される。
【００４５】
基地局用データ処理部２２は、基地局用ＣＤＭＡ無線通信部２１から与えられるデジタル信号を復調し、スペクトル逆拡散、チップ同期、誤り訂正復号、データの分離などの処理を行う。また基地局用データ処理部２２は、移動局装置１２に送信すべきデジタル信号に対して、誤り訂正符号化、フレーム化、データ変調、スペクトル拡散変調などの処理を行う。そして、基地局用データ処理部２２は、デジタル信号を複数のキャリア周波数のいずれかで変調し、この変調したベースバンドのデジタル信号を基地局用ＣＤＭＡ無線通信部２１に与える。
【００４６】
基地局用赤外線通信部２３は、赤外線を用いた無線通信手段である。基地局用赤外線通信部２３は、後述する移動局装置１２の移動局用赤外線通信部３５から送信されるデータ（以下「送信データ」という場合がある）を受信する。本実施の形態では、他の無線基地局装置１３で使用されるスクランブリングコードに対応するスクランブリングコード番号（以下「他の無線基地局装置のスクランブリングコード番号」という場合がある）ＳＣ１を含むデータが移動局用赤外線通信部３５から送信され、基地局用赤外線通信部２３で受信される。基地局用赤外線通信部２３は、移動局装置１２からの送信データを受信すると、受信したデータを基地局用データ処理部２２に与える。
【００４７】
基地局用データ処理部２２は、基地局用赤外線通信部２３から受信したデータが与えられると、与えられたデータを解析し、解析した結果得られた他の無線基地局装置１３のスクランブリングコード番号ＳＣ１を、後述するスクランブリングコード生成部２４に通知する。また基地局用データ処理部２２は、前記解析した結果得られた他の無線基地局装置１３のスクランブリングコード番号ＳＣ１を、基地局用記憶部２５に記憶させるとともに、スクランブリングコード決定部２６に通知する。他の無線基地局装置１３のスクランブリングコード番号ＳＣ１は、生成情報に相当する。
【００４８】
スクランブリングコード決定部２６は、基地局用データ処理部２２から他の無線基地局装置１３のスクランブリングコード番号ＳＣ１が通知されると、その通知されたスクランブリングコード番号ＳＣ１とは異なるスクランブリングコード番号ＳＣ２のスクランブリングコードを用いて移動局装置１２への無線送信を開始するように決定し、その決定した内容、具体的には、使用するスクランブリングコードのスクランブリングコード番号ＳＣ２を基地局用データ処理部２２に通知する。
【００４９】
基地局用データ処理部２２は、スクランブリングコード決定部２６から、使用するスクランブリングコードのスクランブリングコード番号ＳＣ２が通知されると、通知されたスクランブリングコード番号ＳＣ２をスクランブリングコード生成部２４に通知する。
【００５０】
スクランブリングコード生成部２４は、基地局用データ処理部２２からスクランブリングコード番号ＳＣ２が通知されると、この通知されたスクランブリングコード番号ＳＣ２に対応するスクランブリングコードを生成する。スクランブリングコード生成部２４は、生成したスクランブリングコードを基地局用データ処理部２２に与える。
【００５１】
基地局用データ処理部２２は、スクランブリングコード生成部２４から与えられるスクランブリングコードを用いて、利用者データおよび共通チャネルのスペクトル拡散を行い、ＣＤＭＡ無線送信用の信号であるベースバンドのデジタル信号を基地局用ＣＤＭＡ無線通信部２１に与える。
【００５２】
基地局用記憶部２５は、基地局用データ処理部２２によって解析されて得られたスクランブリングコード番号ＳＣ１を記憶する。
【００５３】
図３は、本発明の第１の実施の形態の移動局装置１２の構成を示すブロック図である。移動局装置１２は、移動局用ＣＤＭＡ無線通信部３１、移動局用データ処理部３２、スクランブリングコード測定部３３、移動局用記憶部３４、操作部３５および移動局用赤外線通信部３６を備えて構成される。移動局用データ処理部３２は、移動局用ＣＤＭＡ無線通信部３１、スクランブリングコード測定部３３、移動局用記憶部３４、操作部３５および移動局用赤外線通信部３６とそれぞれ接続されている。移動局用ＣＤＭＡ無線通信部３１および移動局用赤外線通信部３６は、移動局用通信手段に相当する。より詳細には、移動局用ＣＤＭＡ無線通信部３１は、移動局用無線通信手段に相当し、移動局用赤外線通信部３６は、移動局用指示手段および選択情報付与手段に相当する。
【００５４】
移動局用ＣＤＭＡ無線通信部３１は、移動局装置１２に設けられる不図示のアンテナを介して受信した信号に対して、増幅、濾波、周波数変換およびアナログ／デジタル（Ａ／Ｄ）変換などの処理を行うことによってベースバンドのデジタル信号に変換する。移動局用ＣＤＭＡ無線通信部３１は、ベースバンドのデジタル信号を、移動局用データ処理部３２に与える。
【００５５】
移動局用ＣＤＭＡ無線通信部３１は、後述する移動局用データ処理部３２から与えられるベースバンドのデジタル信号に対して、デジタル／アナログ（Ｄ／Ａ）変換、周波数変換、濾波および増幅などの処理を行うことによって、デジタル信号をアナログ信号である無線信号に変換する。無線信号は、移動局装置１２に設けられる不図示のアンテナを介して無線基地局装置１１に送信される。
【００５６】
移動局用データ処理部３２は、移動局用ＣＤＭＡ無線通信部３１から与えられるデジタル信号を復調し、スペクトル逆拡散、チップ同期、誤り訂正復号、データの分離などの処理を行う。また移動局用データ処理部３２は、無線基地局装置１１に送信すべき信号に対して、誤り訂正符号化、フレーム化、データ変調、スペクトル拡散変調などの処理を行う。そして、移動局用データ処理部３２は、デジタル信号を複数のキャリア周波数のいずれかで変調し、この変調したデジタル信号を移動局用ＣＤＭＡ無線通信部３１に与える。
【００５７】
移動局用データ処理部３２は、ハンドオーバによって移動局装置１２の在圏するセル（以下「在圏セル」という場合がある）が変わるたびに、後述するスクランブリングコード測定部３３に、前記在圏セルを構成する無線基地局装置で使用されるスクランブリングコードを測定させるとともに、スクランブリングコード測定部３３で測定されたスクランブルコードに対応するスクランブリングコード番号を、後述する移動局用記憶部３４に記憶させる。たとえば移動局装置１２が、他の無線基地局装置１３で構成されるセルの圏内に存在するようになった場合、すなわち移動局装置１２の在圏セルが他の無線基地局装置１３で構成されるセルになった場合、他の無線基地局装置１３で使用されるスクランブリングコードが測定され、このスクランブリングコードに対応するスクランブリングコード番号が移動局用記憶部３４に記憶される。
【００５８】
スクランブリングコード測定部３３は、移動局用データ処理部３２の指示に従って、ハンドオーバによって在圏するセルが変わるたびに、その在圏セルのスクランブリングコードを測定する。移動局用記憶部３４は、スクランブリングコード測定部３３で測定されたスクランブルコードに対応するスクランブリングコード番号を、そのスクランブリングコードを使用している無線基地局装置１１と対応付けて記憶する。
【００５９】
操作部３５は、操作者が操作する操作スイッチなどの複数の操作片を有する。さらに具体的に述べると、操作部３５は、操作片として、たとえば、無線基地局装置１１にスクランブリングコード番号を含むデータを送信するときに利用者によって操作されるコード番号送信スイッチを備えている。操作部３５は、利用者によってコード番号送信スイッチが操作されると、コード番号送信スイッチが操作されたことを表す信号（以下「送信スイッチ操作信号」という）を移動局用データ処理部３２に与える。
【００６０】
移動局用データ処理部３２は、操作部３５を介して利用者によって操作可能に構成されており、操作部３５から送信スイッチ操作信号が与えられると、移動局用記憶部３４に記憶されている、移動局装置１２の在圏セルを構成する他の無線基地局装置１３のスクランブリングコード番号ＳＣ１を読出す。移動局用データ処理部３２は、移動局用記憶部３４から読出したスクランブリングコード番号ＳＣ１、および読出した他の無線基地局装置１３のスクランブリングコード番号ＳＣ１を無線基地局装置１１に送信する指示を表す信号を移動局用赤外線通信部３６に与える。
【００６１】
移動局用赤外線通信部３６は、移動局用データ処理部３２から、他の無線基地局装置１３のスクランブリングコード番号ＳＣ１、およびスクランブリングコード番号ＳＣ１を無線基地局装置１１に送信する指示を表す信号が与えられると、赤外線通信によって無線基地局装置１１、具体的には無線基地局装置１１の基地局用赤外線通信部２３に、他の無線基地局装置１３のスクランブリングコード番号ＳＣ１を含むデータを送信する。このようにして他の無線基地局装置１３のスクランブリングコード番号ＳＣ１を無線基地局装置１１に送信することは、無線基地局装置１１による無線信号の送信を開始するように指示する開始指示信号を無線基地局装置１１に与えることに相当する。
【００６２】
図４は、本発明の第１の実施の形態における無線基地局装置１１と移動局装置１２との間の通信動作を示すシーケンス図である。無線基地局装置１１が、ＣＤＭＡ方式に基づく無線送信（以下「ＣＤＭＡ無線送信」という）を停止している状態からＣＤＭＡ無線送信を開始するときの、無線基地局装置１１および移動局装置１２の通信動作について説明する。移動局装置１２は、他の無線基地局装置１３が構成するセルに在圏しているものとする。
【００６３】
ステップａ１では、移動局用データ処理部３２は、利用者によってコード番号送信スイッチが操作されたときに操作部３５から与えられる送信スイッチ操作信号の有無に基づいて、利用者による操作部３５、具体的にはコード番号送信スイッチの操作を検出する。操作部３５から送信スイッチ操作信号が与えられると、移動局用データ処理部３２は、利用者によって操作部３５が操作されたことを検出し、ステップａ２に移行する。
【００６４】
ステップａ２では、移動局用データ処理部３２は、操作部３５から送信スイッチ操作信号が与えられると、移動局用記憶部３４に記憶された、現在在圏中の他の無線基地局装置１３のスクランブリングコード番号ＳＣ１を読出し、その後ステップａ３に移行する。
【００６５】
ステップａ３では、移動局用データ処理部３２は、移動局用記憶部３４から読出したスクランブリングコード番号ＳＣ１を含むデータを、赤外線通信によって、移動局用赤外線通信部３６から無線基地局装置１１に送信する。これによって、移動局用記憶部３４から読出されたスクランブリングコード番号ＳＣ１が無線基地局装置１１に通知される。
【００６６】
ステップａ４では、無線基地局装置１１の基地局用赤外線通信部２３は、移動局装置１２の移動局用赤外線通信部３６から送信された、スクランブリングコード番号ＳＣ１を含むデータを受信し、その後ステップａ５に移行する。
【００６７】
ステップａ５では、基地局用データ処理部２２は、基地局用赤外線通信部２３で受信したデータに含まれるスクランブリングコード番号を解析し、解析した結果得られる他の無線基地局装置１３のスクランブリングコード番号ＳＣ１を基地局用記憶部２５に記憶させるとともに、スクランブリングコード決定部２６に通知し、その後ステップａ６に移行する。
【００６８】
ステップａ６では、スクランブリングコード決定部２６は、基地局用データ処理部２２から通知されたスクランブリングコード番号ＳＣ１とは異なるスクランブリングコード番号ＳＣ２を用いて移動局装置１２への無線送信を開始するように決定し、その後ステップａ７に移行する。ステップａ６において、スクランブリングコード決定部２６によって決定されたスクランブリングコードＳＣ２は、基地局用データ処理部２２に通知された後、基地局用データ処理部２２によってスクランブリングコード生成部２４に通知される。
【００６９】
ステップａ７では、スクランブリングコード生成部２４は、基地局用データ処理部２２から通知されたスクランブリングコード番号、換言すればスクランブリングコード決定部２６で決定されたスクランブリングコード番号ＳＣ２を用いて、ＣＤＭＡ無線送信を行うときに用いるスクランブリングコードを生成し、その後ステップａ８に移行する。ステップａ７において、スクランブリングコード生成部２４によって生成されたスクランブリングコードは、基地局用データ処理部２２に通知される。
【００７０】
ステップａ８では、基地局用データ処理部２２は、スクランブリングコード生成部２４から通知されたスクランブリングコードを用いて、利用者データおよび共通チャネルの拡散などを行い、ＣＤＭＡ無線送信を行うときに用いるデータ（以下「ＣＤＭＡ無線送信用データ」という）を生成し、ステップａ９に移行する。基地局用データ処理部２２で生成されたＣＤＭＡ無線送信用データは、基地局用ＣＤＭＡ無線通信部２１に与えられる。
【００７１】
ステップａ９では、基地局用ＣＤＭＡ無線通信部２１は、基地局用データ処理部２２から与えられるＣＤＭＡ無線送信用データを用いて、移動局装置１２へのＣＤＭＡ無線送信を開始する。
【００７２】
以上のように本実施の形態では、移動局装置１２が在圏している他の無線基地局装置１３のスクランブリングコード番号ＳＣ１を記憶しており、そのスクランブリングコード番号ＳＣ１を、赤外線通信を用いて無線基地局装置１１に送信する。これによって、無線基地局装置１１は、他の無線基地局装置１３のスクランブリングコード番号ＳＣ１とは異なるスクランブリングコード番号ＳＣ２のスクランブリングコードをスクランブリングコード決定部２６で選択してスクランブリングコード生成部２４で生成することができる。したがって、他の無線基地局装置１３が構成する周辺セルに対する混信を防ぐことができる。
【００７３】
このように無線基地局装置１１で使用されるスクランブリングコードは、基地局用赤外線通信部２３に他の無線基地局装置１３のスクランブリングコード番号ＳＣ１が与えられたときに、スクランブリングコード決定部２６で選択されて、スクランブリングコード生成部２４で生成される。他の無線基地局装置１３のスクランブリングコード番号ＳＣ１が基地局用赤外線通信部２３に与えられることは、基地局用赤外線通信部２３に開始指示信号が与えられることに相当する。
【００７４】
つまり、無線基地局装置１１で使用されるスクランブリングコードは、開始指示信号に相当する他の無線基地局装置１３のスクランブリングコード番号が移動局装置１２から基地局用赤外線通信部２３に与えられたときに生成されるので、無線基地局装置が移動局装置に指示して周辺セルからの電波状況を測定させる場合などに比べて、無線リソースの消費を抑えることができる。
【００７５】
また無線基地局装置１１で使用されるスクランブリングコードは、基地局用赤外線通信部２３に与えられる他の無線基地局装置１３のスクランブリングコード番号ＳＣ１に基づいて生成される。したがって、無線基地局装置１１でスクランブリングコードを検出する場合などに比べて、他の無線基地局装置１３で構成される周辺セルと混信しないように容易に設定することができる。したがって本実施の形態の無線基地局装置１１では、スクランブリングコードを、無線リソースの消費を抑えて、周辺セルと混信しないように容易に設定することができる。
【００７６】
また本実施の形態では、移動局用赤外線通信部３６は、操作部３５を介して利用者によって操作可能に構成される。これによって利用者が所望するときに、無線基地局装置１１による無線信号の送信を開始させることが可能である。
【００７７】
また本実施の形態では、移動通信システム１は、赤外線通信を用いてスクランブリングコード番号を移動局装置１２から無線基地局装置１１に通知する構成である。赤外線による無線通信は、赤外線そのものが回折しにくく、壁などの障害物を透過しにくい性質を有していることから、電波による無線通信に比べて、通信の信号が空間的に広がりにくいという利点を有する。したがって赤外線による無線通信では、予め通信プロトコルを無線基地局装置１１と移動局装置１２とで合わせておけば、ＣＤＭＡ通信のような混信を考慮する必要がなく、いつでも通信が可能である。
【００７８】
以上のように本実施の形態では、移動局装置１２から無線基地局装置１１にスクランブリングコード番号を含むデータを送信するときには赤外線通信を用いるが、本発明の他の実施の形態では、赤外線通信と同様に、通信の信号が空間的に広がりにくく、混信を考慮する必要が無いものであれば、無線基地局装置１１と移動局装置１２とのスクランブリングコード番号の通知に用いる通信方式はどのような通信方式でもよい。たとえば、他の無線通信でもよく、具体的には、音波を用いた通信方式でもよいし、ＩＳＯ規格番号１８０９２で規定される近距離通信（Near Field Communication；略称：ＮＦＣ）による無線通信でもよい。このように赤外線、音波またはＮＦＣによる無線通信を用いることによって、混信を防ぐことができるので、他の無線基地局装置１３のスクランブリングコード番号ＳＣ１を含むデータを容易かつ確実に無線基地局装置１１に通知することができる。
【００７９】
またスクランブリングコード番号ＳＣ１を含むデータを送信するときの通信方法は、無線基地局装置１１と移動局装置１２との間にケーブルを接続した有線通信でもよい。有線通信を用いることによって、スクランブリングコード番号ＳＣ１を含むデータを移動局装置１２から基地局装置１１に確実に通知することができる。
【００８０】
また、挿抜可能な不揮発性メモリを利用者が移動局装置１２から抜き取り、無線基地局装置１１へ挿入することによってスクランブリングコード番号を伝送するようにしてもよい。これによって簡単な構成で、スクランブリングコード番号ＳＣ１を含むデータを無線基地局装置１１に確実に通知することができる。
【００８１】
また本実施の形態では、１つのスクランブリングコード番号を移動局装置１２から無線基地局装置１１へ通知するように構成されているが、本発明の他の実施の形態では、他の無線基地局装置１３の構成するセルのスクランブリングコード番号と、移動局装置１２が他の無線基地局装置１３の構成するセルへ移動してくる前の１以上のセルのスクランブリングコード番号とを合わせて２つ以上のスクランブリングコード番号を無線基地局装置１１へ通知するように構成されてもよい。
【００８２】
また本発明の他の実施の形態では、移動局装置１２がスクランブリングコード番号を無線基地局装置１１へ通知する前に、セルサーチ処理を行い、在圏中の他の無線基地局装置１３が構成するセル以外の他の隣接するセルについてもスクランブリング番号を測定し、周囲の２つ以上のセルのスクランブリングコード番号を無線基地局装置１１へ通知するように構成されてもよい。
【００８３】
また本実施の形態では、移動局装置１２が無線基地局装置１１に対して通知するスクランブリングコード番号は、他の無線基地局装置１３が使用しているスクランブリングコード番号のみであるが、本発明の他の実施の形態では、移動局装置１２が他の無線基地局装置１３のセルにハンドオーバする前に通信していた無線基地局装置のスクランブリングコード番号も含めた複数のスクランブリングコード番号を通知するように構成されてもよい。
【００８４】
また本実施の形態では、移動局装置１２が無線基地局装置１１に対して通知する無線パラメータは、他の無線基地局装置１３が使用しているスクランブリングコード番号のみであるが、本発明の他の実施の形態では、他の無線基地局装置１３が使用している周波数も合わせて通知してもよい。この場合、無線基地局装置１１は、周波数およびスクランブリングコード番号のどちらか一方もしくは両方に他の無線基地局装置１３と異なるものを用いることで、他の無線基地局装置１３が構成するセルに対する混信を防ぐことができる。
【００８５】
また本実施の形態では、無線基地局装置１１は、他の無線基地局装置１３が使用している無線パラメータの入手の有無を送信開始の必須条件とはしていないが、この無線パラメータを入手しない限り無線送信を開始しないようにロックする制御を行うように構成されてもよい。このような構成にすることによって、他の無線基地局装置１３が構成するセルに対する混信を防ぐことができる。
【００８６】
＜第２の実施の形態＞
図５は、本発明の第２の実施の形態の移動通信システム４０の構成を模式的に示す図である。移動通信システム４０は、無線基地局装置４１、基地局制御装置４２、移動局装置１２および他の無線基地局装置１３を備えて構成される。本実施の形態の移動通信システム４０の構成は、第１の実施の形態の移動通信システム１の構成と類似しているので、対応する部分には同一の参照符を付して、共通する説明を省略する。無線基地局装置４１と移動局装置１２とは、ＣＤＭＡ方式を用いた無線通信手段と、赤外線を用いた無線通信手段との２種の無線通信手段によって通信が可能である。他の無線基地局装置１３は、移動局装置１２と無線通信可能に構成される。
【００８７】
本実施の形態の移動通信システム４０における無線基地局装置４１としては、前述の第１の実施の形態の無線基地局装置１１と同様に、家庭内でのみ使用するような極小セルを構成する基地局装置を想定している。また移動通信システム４０における他の無線基地局装置１３としては、周辺マクロセルを構成する基地局装置を想定している。
【００８８】
基地局制御装置４２は、無線基地局装置４１および他の無線基地局装置１３の上位基地局装置として機能し、無線基地局装置４１および他の無線基地局装置１３の通信動作を制御する。基地局制御装置４２と無線基地局装置４１、ならびに基地局制御装置４２と他の無線基地局装置１３とは、いずれも有線通信網を介して接続されている。
【００８９】
図６は、本発明の第２の実施の形態の無線基地局装置４１の構成を示すブロック図である。無線基地局装置４１は、基地局用ＣＤＭＡ無線通信部２１、基地局用データ処理部２２、基地局用赤外線通信部２３およびスクランブリングコード生成部２４を備えて構成される。本実施の形態の無線基地局装置４１の構成は、第１の実施の形態の無線基地局装置１１の構成から、基地局用記憶部２５とスクランブリングコード決定部２６とを取り除いた構成であるので、対応する部分には同一の参照符を付して、共通する説明を省略する。本実施の形態において基地局用データ処理部２２は、通知手段およびパラメータ情報受信手段として機能する。基地局用データ処理部２２は、図示しないインターフェース部を介して、基地局制御装置４２と通信可能に構成される。
【００９０】
図７は、本発明の第２の実施の形態の基地局制御装置４２の構成を示すブロック図である。基地局制御装置４２は、基地局制御部５１、基地局インターフェース部５２、基地局スクランブリングコード決定部５３および制御装置用記憶部５４を備えて構成される。基地局制御部５１は、基地局制御装置４２を構成する基地局インターフェース部５２、基地局スクランブリングコード決定部５３および制御装置用記憶部５４とそれぞれ接続しており、これらを統括的に制御する。基地局制御部５１は、制御装置用受信手段に相当する。基地局制御部５１は、基地局インターフェース部５２を介して、無線基地局装置４１および他の無線基地局装置１３と通信可能に構成される。また基地局制御部５１および基地局スクランブリングコード決定部５３は、パラメータ情報付与手段に相当する。
【００９１】
基地局インターフェース部５２は、移動通信システム４０を構成する無線基地局装置４１および他の無線基地局装置１３にそれぞれ設けられる不図示のインターフェース部と接続される。具体的には、基地局制御装置４２は、基地局インターフェース部５２を介して無線基地局装置４１および他の無線基地局装置１３と有線通信可能にそれぞれ接続される。
【００９２】
基地局制御部５１は、移動局装置１２から無線基地局装置４１を経由して送信されたデータを、基地局インターフェース部５２を介して受信したとき、受信したデータを解析してスクランブリングコード番号ＳＣ１を抽出する指示を表す信号（以下「解析指示信号」という）と、抽出したスクランブリングコード番号ＳＣ１とは異なるスクランブリングコード番号を決定する指示を表す信号（以下「コード番号決定指示信号」という）とを基地局スクランブリングコード決定部５３に与える。
【００９３】
基地局スクランブリングコード決定部５３は、基地局制御部５１から与えられる解析指示信号に従って、基地局インターフェース部５２を介して受信したデータを解析して、移動局装置１２が無線基地局装置４１に送信したスクランブリングコード番号、具体的には他の無線基地局装置１３が使用しているスクランブリングコード番号ＳＣ１を抽出する。制御装置用記憶部５４は、基地局スクランブリングコード決定部５３によって解析されたスクランブリングコード番号ＳＣ１を記憶する。
【００９４】
また基地局スクランブリングコード決定部５３は、基地局制御部５１から与えられるコード番号決定指示信号に従って、基地局インターフェース部５２を介して受信したスクランブリングコード番号ＳＣ１とは異なるスクランブリングコード番号ＳＣ２を、無線基地局装置４１が使用するべきスクランブリングコードの番号として決定し、その決定したスクランブリングコード番号ＳＣ２を基地局制御部５１に通知する。
【００９５】
基地局制御部５１は、基地局スクランブリングコード決定部５３から、決定されたスクランブリングコード番号ＳＣ２が与えられると、基地局スクランブリングコード決定部５３で決定されたスクランブリングコード番号ＳＣ２とともに、スクランブリングコード番号ＳＣ２を用いて移動局装置１２への無線送信を開始する旨の指示を、基地局インターフェース部５２を介して無線基地局装置４１に送信する。
【００９６】
図８は、本発明の第２の実施の形態における移動局装置１２、無線基地局装置４１および基地局制御装置４２の各装置間の通信動作を示すシーケンス図である。無線基地局装置４１が、ＣＤＭＡ無線送信を停止している状態からＣＤＭＡ無線送信を開始するときの、移動局装置１２、無線基地局装置４１および基地局制御装置４２の通信動作について説明する。移動局装置１２は、他の無線基地局装置１３が構成するセルに在圏しているものとする。
【００９７】
ステップｂ１では、前述の図３に示す移動局用データ処理部３２は、利用者によってコード番号送信スイッチが操作されたときに操作部３５から与えられる送信スイッチ操作信号の有無に基づいて、利用者による操作部３５、具体的にはコード番号送信スイッチの操作を検出する。操作部３５から送信スイッチ操作信号が与えられると、移動局用データ処理部３２は、利用者によって操作部３５が操作されたことを検出し、その後ステップｂ２に移行する。
【００９８】
ステップｂ２では、移動局用データ処理部３２は、操作部３５から送信スイッチ操作信号が与えられると、移動局用記憶部３４に記憶された、現在在圏中の他の無線基地局装置１３のスクランブリングコード番号ＳＣ１を読出し、その後ステップａ３に移行する。
【００９９】
ステップｂ３では、移動局用データ処理部３２は、移動局用記憶部３４から読出したスクランブリングコード番号ＳＣ１を含むデータを、赤外線通信によって、移動局用赤外線通信部３６から無線基地局装置４１に送信する。これによって、移動局用記憶部３４から読出されたスクランブリングコード番号ＳＣ１が無線基地局装置４１に通知される。
【０１００】
ステップｂ４では、無線基地局装置４１の基地局用赤外線通信部２３は、移動局装置１２の移動局用赤外線通信部３６から送信された、スクランブリングコード番号ＳＣ１を含むデータを受信し、その後ステップｂ５に移行する。
【０１０１】
ステップｂ５では、無線基地局装置４１の基地局用データ処理部２２は、ステップｂ４で受信したスクランブリングコード番号ＳＣ１を、図示しないインターフェース部を介して基地局制御装置４２に転送し、その後ステップｂ６に移行する。
【０１０２】
ステップｂ６では、基地局制御装置４２の基地局制御部５１は、移動局装置１２から無線基地局装置１２を経由して送信されたスクランブリングコード番号ＳＣ１を含むデータを、基地局インターフェース部５２を介して受信し、その後ステップｂ７に移行する。
【０１０３】
ステップｂ７では、基地局スクランブリングコード決定部５３は、ステップｂ６で受信したデータを解析して、他の無線基地局装置１３が使用しているスクランブリングコードのスクランブリングコード番号を抽出する。その後、ステップｂ８に移行する。
【０１０４】
ステップｂ８では、基地局スクランブリングコード決定部５３は、基地局インターフェース部５２を介して受信したスクランブリングコード番号ＳＣ１とは異なるスクランブリングコード番号ＳＣ２を、無線基地局装置４１が使用するべきスクランブリングコードの番号として決定し、その後ステップｂ９に移行する。
【０１０５】
ステップｂ９では、基地局制御部５１は、基地局スクランブリングコード決定部５３で決定されたスクランブリングコード番号ＳＣ２とともに、決定されたスクランブリングコード番号ＳＣ２を用いて移動局装置１２へのＣＤＭＡ無線送信を開始する旨の指示を、基地局インターフェース部５２を介して無線基地局装置４１に送信する。その後、ステップｂ１０に移行する。
【０１０６】
ステップｂ１０では、無線基地局装置４１の基地局用データ処理部２２は、基地局制御装置４２の基地局インターフェース部５２を介して送信された、スクランブリングコード番号ＳＣ２およびスクランブリングコード番号ＳＣ２を用いて移動局装置１２へのＣＤＭＡ無線送信を開始する旨の指示を、図示しないインターフェース部を介して受信し、その後ステップｂ１１に移行する。
【０１０７】
ステップｂ１１では、無線基地局装置４１のスクランブリングコード生成部２４は、基地局制御装置４２から送信されたスクランブリングコード番号ＳＣ２に対応するスクランブリングコードを、ＣＤＭＡ無線送信を行うときに用いるスクランブリングコードとして生成し、その後ステップｂ１２に移行する。
【０１０８】
ステップｂ１２では、基地局用データ処理部２２は、スクランブリングコード生成部２４によって生成されたスクランブリングコードを用いて、利用者データおよび共通チャネルの拡散などを行い、ＣＤＭＡ無線送信を行うときに用いるデータ（以下「ＣＤＭＡ無線送信用データ」という）を生成し、ステップｂ１３に移行する。基地局用データ処理部２２で生成されたＣＤＭＡ無線送信用データは、基地局用ＣＤＭＡ無線通信部２１に与えられる。
【０１０９】
ステップｂ１３では、基地局用ＣＤＭＡ無線通信部２１は、基地局用データ処理部２２から与えられるＣＤＭＡ無線送信用データを用いて、移動局装置１２へのＣＤＭＡ無線送信を開始する。
【０１１０】
以上のように本実施の形態では、移動局装置１２が在圏している他の無線基地局装置１３のスクランブリングコード番号ＳＣ１を、無線基地局装置４１を経由して基地局制御装置４２に対して通知する。これによって基地局制御装置４２は、他の無線基地局装置１３のスクランブリングコード番号ＳＣ１とは異なるスクランブリングコード番号ＳＣ２を選択して、無線基地局装置４１に与えることができる。この与えられたスクランブリングコード番号ＳＣ２に対応するスクランブリングコードを生成して用いることによって、無線基地局装置４１は、他の無線基地局装置１３が構成するセルに対する混信を防ぐことができる。
【０１１１】
本実施の形態では、前述の第１の実施の形態とは異なり、無線基地局装置４１に、移動局装置１２から通知されたスクランブリングコード番号ＳＣ１を解析して、異なるスクランブリングコード番号ＳＣ２のスクランブリングコードを使用するように判断する部位が不要となる。したがって本実施の形態の基地局装置４１は、第１の実施の形態の基地局装置１１に比べて、装置の構成を簡易化することができる。
【０１１２】
本実施の形態では、無線基地局装置４１は、他の無線基地局装置１３が使用している無線パラメータの入手の有無を送信開始の必須条件とはしていないが、この無線パラメータを入手しない限り無線送信を開始しないようにロックする制御を行うように構成されてもよい。このような構成にすることによって、他の無線基地局装置１３が構成するセルに対する混信を防ぐことができる。
【０１１３】
＜第３の実施の形態＞
図９は、本発明の第３の実施の形態の移動通信システム６０の構成を模式的に示す図である。移動通信システム６０は、無線基地局装置１１、他の無線基地局装置１３Ａ、基地局制御装置４２および移動局装置６１を備えて構成される。本実施の形態の移動通信システム６０の構成は、第１の実施の形態の移動通信システム１の構成と類似しているので、対応する部分には同一の参照符を付して、共通する説明を省略する。無線基地局装置１１と移動局装置６１とは、ＣＤＭＡ方式を用いた無線通信手段によって通信が可能である。他の無線基地局装置１３Ａは、無線基地局装置１１に隣接するセルを構成する無線基地局装置であり、移動局装置６１と無線通信可能に構成される。
【０１１４】
本実施の形態においても、前述の第１および第２の実施の形態と同様に、移動通信システム６０における無線基地局装置１１としては、家庭内でのみ使用するような極小セルを構成する基地局装置を想定している。また移動通信システム６０における他の無線基地局装置１３Ａとしては、周辺マクロセルを構成する基地局装置を想定している。
【０１１５】
基地局制御装置４２は、無線基地局装置１１および他の無線基地局装置１３Ａの上位基地局装置として機能し、無線基地局装置１１および他の無線基地局装置１３Ａの通信動作を制御する。基地局制御装置４２と無線基地局装置１１、ならびに基地局制御装置４２と他の無線基地局装置１３Ａとは、いずれも有線通信網を介して接続されている。本実施の形態において、基地局制御装置４２の基地局制御部５１は、制御装置用受信手段および制御装置用指示手段として機能する。
【０１１６】
図１０は、本発明の第３の実施の形態の移動局装置６１の構成を示すブロック図である。移動局装置６１は、移動局用ＣＤＭＡ無線通信部３１、移動局用データ処理部３２および操作部３５を備えて構成される。本実施の形態の移動局装置６１の構成は、第１の実施の形態の移動局装置１２の構成から、スクランブリングコード測定部３３、移動局用記憶部３４および移動局用赤外線通信部３６を取り除いた構成であるので、対応する部分には同一の参照符を付して、共通する説明を省略する。
【０１１７】
本実施の形態では、移動局用データ処理部３２は、操作部３５から送信スイッチ操作信号が与えられると、無線基地局装置１１によるＣＤＭＡ無線送信の開始要求を表す信号（以下「無線送信開始要求信号」という）を生成し、生成した無線送信開始要求信号と移動局装置６１の加入者情報とを含むデータを移動局用ＣＤＭＡ無線通信部３１に与える。移動局用ＣＤＭＡ無線通信部３１は、移動局用データ処理部３２から与えられた無線送信開始要求信号と加入者情報とを含むデータを、他の無線基地局装置１３Ａに送信する。移動局用ＣＤＭＡ無線通信部３１は、開始要求付与手段に相当する。無線送信開始要求信号は、開始要求信号に相当する。
【０１１８】
図９に戻って、他の無線基地局装置１３Ａは、前述の第１および第２の実施の形態における他の無線基地局装置１３と類似の構成であり、基地局用データ処理部の処理内容が異なるのみで、他の部位の処理内容は同一である。
【０１１９】
具体的には、他の無線基地局装置１３Ａは、図示は省略するが、基地局用ＣＤＭＡ無線通信部および基地局用データ処理部を備えて構成される。他の無線基地局装置１３Ａの基地局用ＣＤＭＡ無線通信部および基地局用データ処理部は、前述の第１および第２の実施の形態における無線基地局装置１１，４１の基地局用ＣＤＭＡ無線通信部２１および基地局用データ処理部２２とそれぞれ同様の構成である。他の無線基地局装置１３Ａにおいて、基地局用ＣＤＭＡ無線通信部は、他の開始要求受信手段として機能し、基地局用データ処理部は、転送手段として機能する。基地局用データ処理部は、図示しないインターフェース部を介して、基地局制御装置４２と通信可能に構成される。
【０１２０】
他の無線基地局装置１３Ａの基地局用データ処理部は、移動局装置６１から送信された無線送信開始要求信号を含むデータを基地局用ＣＤＭＡ無線通信部が受信すると、受信した無線送信開始要求信号を含むデータを、図示しないインターフェース部を介して基地局制御装置４２に転送する。より詳細には、基地局用データ処理部は、受信した無線送信開始要求信号を含むデータに、自装置である他の無線基地局装置１３Ａの基地局ＩＤ（Identification）を付加して、図示しないインターフェース部を介して基地局制御装置４２に送信する。
【０１２１】
図１１は、本発明の第３の実施の形態における無線基地局装置１１、他の無線基地局装置１３、基地局制御装置４２および移動局装置６１の各装置間の通信動作を示すシーケンス図である。無線基地局装置１１が、ＣＤＭＡ無線送信を停止している状態からＣＤＭＡ無線送信を開始するときの、移動局装置６１、他の無線基地局装置１３Ａ、基地局制御装置４２および基地局制御装置４２の通信動作について説明する。移動局装置６１は、他の無線基地局装置１３Ａが構成するセルに在圏しているものとする。
【０１２２】
ステップｃ１では、移動局装置６１の移動局用データ処理部３２は、利用者によってコード番号送信スイッチが操作されたときに操作部３５から与えられる送信スイッチ操作信号の有無に基づいて、利用者による操作部３５、具体的にはコード番号送信スイッチの操作を検出する。操作部３５から送信スイッチ操作信号が与えられると、移動局用データ処理部３２は、利用者によって操作部３５が操作されたことを検出し、その後ステップｃ２に移行する。
【０１２３】
ステップｃ２では、移動局装置６１の移動局用データ処理部３２は、無線送信開始要求信号を生成し、生成した無線送信開始要求信号と移動局装置６１の加入者情報とを含むデータを、移動局用ＣＤＭＡ無線通信部３１によって他の無線基地局装置１３Ａに送信する。その後、ステップｃ３に移行する。
【０１２４】
ステップｃ３では、他の無線基地局装置１３Ａの基地局用ＣＤＭＡ無線通信部は、ステップｃ２で移動局装置６１から送信された無線送信開始要求信号と移動局装置６１の加入者情報とを含むデータを受信し、その後ステップｃ４に移行する。
【０１２５】
ステップｃ４では、他の無線基地局装置１３Ａの基地局用データ処理部は、ステップｃ３で受信した無線送信開始要求信号と移動局装置６１の加入者情報とを含むデータを、他の無線基地局装置１３Ａの基地局ＩＤとともに、図示しないインターフェース部を介して基地局制御装置４２に転送し、その後ステップｃ５に移行する。
【０１２６】
ステップｃ５では、基地局制御装置４２の基地局制御部５１は、他の無線基地局装置１３Ａから送信された無線送信開始要求信号と移動局装置６１の加入者情報と他の無線基地局装置１３の基地局ＩＤとを含むデータを、基地局インターフェース部５２を介して受信する。基地局制御部５１は、受信したデータを解析し、そのデータに含まれる無線送信開始要求信号、移動局装置６１の加入者情報および他の無線基地局装置１３の基地局ＩＤを抽出する。基地局制御部５１は、他の無線基地局装置１３の基地局ＩＤを基地局スクランブリングコード決定部５３に与える。その後ステップｃ６に移行する。
【０１２７】
ステップｃ６では、基地局制御装置４２の基地局スクランブリングコード決定部５３は、基地局制御部５１から与えられた他の無線基地局装置１３Ａの基地局ＩＤに基づいて、他の無線基地局装置１３Ａが現在使用しているスクランブリングコード番号ＳＣ１を判別し、そのスクランブリングコード番号ＳＣ１とは異なるスクランブリングコード番号ＳＣ２を無線基地局装置１１が使用すべきである旨を決定する。基地局スクランブリングコード決定部５３は、決定したスクランブリングコード番号ＳＣ２を基地局制御部５１に与える。その後、ステップｃ７に移行する。
【０１２８】
ステップｃ７では、基地局制御装置４２の基地局制御部５１は、受信したデータから抽出した移動局装置６１の加入者情報に基づいて、無線基地局装置１１が移動局装置６１の利用者の制御対象であることを判別して、無線基地局装置１１に対してＣＤＭＡ無線送信開始の制御を行う。具体的には、基地局制御部５１は、基地局スクランブリングコード決定部５３で決定されたスクランブリングコード番号ＳＣ２とともに、そのスクランブリングコード番号ＳＣ２を用いて移動局装置６１へのＣＤＭＡ無線送信を開始する旨の指示を表す開始指示信号を、基地局インターフェース部５２を介して無線基地局装置１１に送信する。その後、ステップｃ８に移行する。
【０１２９】
ステップｃ８では、無線基地局装置１１の基地局用データ処理部２２は、基地局制御装置４２の基地局インターフェース部５２を介して送信された、スクランブリングコード番号ＳＣ２およびそのスクランブリングコード番号ＳＣ２を用いて移動局装置６１へのＣＤＭＡ無線送信を開始する旨の指示を表す開始指示信号を、図示しないインターフェース部を介して受信し、その後ステップｃ９に移行する。
【０１３０】
ステップｃ９では、無線基地局装置１１のスクランブリングコード生成部２４は、基地局制御装置４２から送信されたスクランブリングコード番号ＳＣ２に対応するスクランブリングコードを、ＣＤＭＡ無線送信を行うときに用いるスクランブリングコードとして生成し、その後ステップｃ１０に移行する。
【０１３１】
ステップｃ１０では、基地局用データ処理部２２は、スクランブリングコード生成部２４によって生成されたスクランブリングコードを用いて、利用者データおよび共通チャネルの拡散などを行い、ＣＤＭＡ無線送信を行うときに用いるＣＤＭＡ無線送信用データを生成し、ステップｃ１１に移行する。基地局用データ処理部２２で生成されたＣＤＭＡ無線送信用データは、基地局用ＣＤＭＡ無線通信部２１に与えられる。
【０１３２】
ステップｃ１１では、基地局用ＣＤＭＡ無線通信部２１は、基地局用データ処理部２２から与えられるＣＤＭＡ無線送信用データを用いて、移動局装置６１へのＣＤＭＡ無線送信を開始する。
【０１３３】
本実施の形態では、無線基地局装置１１による無線信号の送信の開始を要求する開始要求信号は、移動局装置６１から他の無線基地局装置１３Ａを介して基地局制御装置４２に与えられ、基地局制御装置４２から無線基地局装置１１に開始指示信号が与えられる。したがって、移動局装置６１および無線基地局装置１１に、赤外線通信部などの、ＣＤＭＡ無線通信部以外の通信部を持たせる必要がないので、移動局装置６１および無線基地局装置１１の構成を簡易化することができる。
【０１３４】
また本実施の形態では、基地局制御装置４２は、移動局装置６１の加入者情報に基づいて、無線基地局装置１１が移動局装置６１の利用者の制御対象であることを判別して、無線基地局装置１１に対してＣＤＭＡ無線送信開始の制御を行う。すなわち基地局制御装置４２は、移動局装置６１の加入者情報に基づいて、無線基地局装置１１に開始指示信号を与えるべきか否かを判断し、開始指示信号を与えるべきであると判断されると、無線基地局装置１１に開始指示信号を与える。これによって、開始指示信号を与えるべきでない無線基地局装置に誤って開始指示信号が与えられることを防ぎ、開始指示信号を与えるべき無線基地局装置１１に確実に与えることができる。
【０１３５】
また本実施の形態では、基地局制御装置４２は、他の無線基地局装置１３Ａの基地局ＩＤに基づいて、他の無線基地局装置１３Ａが現在使用しているスクランブリングコード番号ＳＣ１を判別し、そのスクランブリングコード番号ＳＣ１とは異なるスクランブリングコード番号ＳＣ２を選択し、選択したスクランブリングコード番号ＳＣ２を無線基地局装置１１に与える。このように基地局ＩＤに基づいて他の無線基地局装置１３Ａのスクランブリングコード番号ＳＣ２を判別するので、スクランブリングコード測定部を設ける必要がない。したがって移動局装置６１、他の無線基地局装置１３Ａおよび基地局制御装置４２を簡単な構成で実現することができる。
【０１３６】
本実施の形態では、無線基地局装置１１は、他の無線基地局装置１３Ａが使用している無線パラメータの入手の有無を送信開始の必須条件とはしていないが、この無線パラメータを入手しない限り無線送信を開始しないようにロックする制御を行うように構成されてもよい。このような構成にすることによって、他の無線基地局装置１３Ａが構成するセルに対する混信を防ぐことができる。
【０１３７】
以上に述べた第２および第３の実施の形態では、基地局制御装置４２と無線基地局装置１１，４１とは、有線接続されているが、無線接続されてもよい。
【符号の説明】
【０１３８】
１，４０，６０  移動通信システム、１１，４１  無線基地局装置、１２，６１  移動局装置、１３，１３Ａ  他の無線基地局装置、２１  基地局用ＣＤＭＡ無線通信部、２２  基地局用データ処理部、２３  基地局用赤外線通信部、２４  スクランブリングコード生成部、２５  基地局用記憶部、２６  スクランブリングコード決定部、３１  移動局用ＣＤＭＡ無線通信部、３２  移動局用データ処理部、３３  スクランブリングコード測定部、３４  移動局用記憶部、３５  操作部、３６  移動局用赤外線通信部、４２  基地局制御装置、５１  基地局制御部、５２  基地局インターフェース部、５３  基地局スクランブリングコード決定部、５４  制御装置用記憶部。
【図１】
2010183320.tif 000003
【図２】
2010183320.tif 000004
【図３】
2010183320.tif 000005
【図４】
2010183320.tif 000006
【図５】
2010183320.tif 000007
【図６】
2010183320.tif 000008
【図７】
2010183320.tif 000009
【図８】
2010183320.tif 000010
【図９】
2010183320.tif 000011
【図１０】
2010183320.tif 000012
【図１１】
2010183320.tif 000013